(57)【要約】【課題】光のバリエーションに富み、かつ全体として優れた美観を有するデザイン性に富んだ照明器具を提供することを目的とする。【解決手段】ランプ１０４が差し込まれるソケット１０５を備える灯具１０６が、パネル１０７に取り付けられる照明器具１０１であって、パネル１０７は、ソケット１０５の径より若干大きな開口幅を有し、かつ板面上に所定の模様を形成する取付溝１０８が開口され、灯具１０６は、取付溝１０８内に配設され、取付溝１０８の端面に沿って摺動可能なソケット１０５と、パネル１０７の一方側に配設されるランプ１０４とを備え、取付溝１０８に沿って移動可能とされるものである。【選択図】図１
2008198527.tif 000002
【特許請求の範囲】
【請求項１】
ランプが差し込まれるソケットを備える灯具が、板状部材に取り付けられる照明器具であって、
前記板状部材は、ソケットの径より若干大きな開口幅を有し、かつ板面上に所定の模様を形成する取付溝が開口され、
前記灯具は、前記取付溝内に配設され、該取付溝の端面に沿って摺動可能なソケットと、前記板状部材の一方側に配設されるランプとを備え、該取付溝に沿って移動可能とされる、
ことを特徴とする照明器具。
【請求項２】
前記ソケットは、前記板状部材の一側面に係止される第一の取付手段と、該板状部材の他側面に係止される第二の取付手段とを備え、該第一の取付手段と第二の取付手段とにより、該板状部材を挟持可能とされる、
ことを特徴とする請求項１に記載の照明器具。
【請求項３】
前記第一または第二の取付手段は、前記ソケットの外周に螺合される、
ことを特徴とする請求項２に記載の照明器具。
【請求項４】
前記板状部材は、透光性を有する部材である、
ことを特徴とする請求項１から請求項３までのいずれか一項に記載の照明器具。
【請求項５】
前記灯具を複数備える、
ことを特徴とする請求項１から請求項４までのいずれか一項に記載の照明器具。
【請求項６】
前記板状部材は、水平方向に複数連結可能とされる、
ことを特徴とする請求項１から請求項５までのいずれか一項に記載の照明器具。
【発明の詳細な説明】
【技術分野】
【０００１】
本発明は、照明器具の技術に関し、より詳細には、板状部材に開口された取付溝に沿って移動可能な灯具を備える照明器具に関する。
【背景技術】
【０００２】
従来、シャンデリアや天井つり下げ灯等の装飾性を有する照明器具は、広く知られている。例えば、特許文献１には、基体に対して回動自在に取り付けた複数のアームの先端にそれぞれ光源と同光源のカバーとを設け、さらに全部のアームを下方に回動して、光源及びカバーを閉じた傘状に集束可能にしており、アームを開いた状態と閉じた状態とに任意に設定できる照明器具が開示されている。これにより、生活の状態に応じて、部屋全体を照らすルームライトとして、また部屋の一部を強調するスポットライトとしての使用が可能となる。
【特許文献１】実開平１−１６６９０９号公報
【発明の開示】
【発明が解決しようとする課題】
【０００３】
しかし、従来から広く知られているシャンデリアや天井つり下げ灯等の装飾性を有する照明器具の多くは、ランプが差し込まれるソケットが、器具本体に対して固定的に設けられている。このため、雰囲気に応じて、ランプの位置を変更して、光を変化させる自由度が小さく、光のバリエーションに乏しい。
一方、特許文献１に開示されている照明器具は、光を変化させる自由度は大きいものの、ランプの位置を変更するための操作が必ずしも容易とは言えない。また、光を変化させることによる光のバリエーションを有するという特徴を、照明器具の装飾性に十分に活かせているとは言えない。
特に、近年の照明器具においては、ランプの配置に特徴をもたせて、全体として優れた美観を有するデザイン性に富んだ製品が提供されている。
【０００４】
本発明は以上の状況に鑑み、光のバリエーションに富み、かつ全体として優れた美観を有するデザイン性に富んだ照明器具を提供することを目的とする。
【課題を解決するための手段】
【０００５】
本発明の解決しようとする課題は以上のとおりであり、次にこの課題を解決するための手段を説明する。
【０００６】
すなわち、請求項１においては、
ランプが差し込まれるソケットを備える灯具が、板状部材に取り付けられる照明器具であって、
前記板状部材は、ソケットの径より若干大きな開口幅を有し、かつ板面上に所定の模様を形成する取付溝が開口され、
前記灯具は、前記取付溝内に配設され、該取付溝の端面に沿って摺動可能なソケットと、前記板状部材の一方側に配設されるランプとを備え、該取付溝に沿って移動可能とされるものである。
【０００７】
請求項２においては、
前記ソケットは、前記板状部材の一側面に係止される第一の取付手段と、該板状部材の他側面に係止される第二の取付手段とを備え、該第一の取付手段と第二の取付手段とにより、該板状部材を挟持可能とされるものである。
【０００８】
請求項３においては、
前記第一または第二の取付手段は、前記ソケットの外周に螺合されるものである。
【０００９】
請求項４においては、
前記板状部材は、透光性を有する部材であるものである。
【００１０】
請求項５においては、
前記灯具を複数備えるものである。
【００１１】
請求項６においては、
前記板状部材は、水平方向に複数連結可能とされるものである。
【発明の効果】
【００１２】
本発明の効果として、以下に示すような効果を奏する。
【００１３】
請求項１においては、
灯具を取付溝に沿って移動させるだけで、部屋の種類や広さ、使用する場面等に応じて、ランプの位置を変更して、光を変化させることができ、光のバリエーションに富んだ照明器具を提供できる。
また、取付溝を任意のデザイン性を有する模様に形成することにより、全体として優れた美観を有するデザイン性に富んだ照明器具を提供できる。
【００１４】
請求項２においては、
第一の取付手段と第二の取付手段とにより、板状部材を挟持するソケットを介して、灯具を板状部材に固定できる。すなわち、簡単な構成で灯具を板状部材に固定でき、灯具の形状をシンプルにできる。
【００１５】
請求項３においては、
第一または第二の取付手段を締緩させるだけで、灯具の固定・移動を切り替えられる。すなわち、工具等を必要とせず、灯具の取り付け位置が容易に変更できる。
【００１６】
請求項４においては、
ランプの光が透光性を有する板状部材に入射されることにより、板状部材の着色が天井や壁等の周囲の面に映り込むため、間接照明として空間の雰囲気を演出することができる。例えば、略無色の透明な板状部材は、目立たないため、ランプの光が空間に浮いたように見える。
【００１７】
請求項５においては、
複数の灯具が板状部材に取り付けられることにより、広い部屋でも全体照明として十分な照度が確保できるとともに、光のバリエーションが増え、装飾性及び実用性の高い照明器具を提供できる。例えば、部屋の広さや明るさ等に応じて灯具の数を変更できる。
【００１８】
請求項６においては、
灯具が取り付けられる板状部材が複数連結されることにより、広い部屋でも全体照明として十分な照度が確保できるとともに、光のバリエーションが増え、装飾性及び実用性の高い照明器具を提供できる。例えば、部屋の広さや明るさ等に応じて板状部材の枚数を変更できる。
【発明を実施するための最良の形態】
【００１９】
次に、発明を実施するための最良の形態を説明する。図１は第一実施例にかかる照明器具の斜視図、図２は同じく側面図、図３は同じく平面図、図４は同じく底面図、図５は第一及び第二取付具の側面断面図、図６は２枚のパネルが連結された照明器具の斜視図、図７は（ａ）連結具及び留め具の側面図（ｂ）同じく正面図（ｃ）同じく平面図（ｄ）同じく底面図、図８は第二実施例にかかる照明器具の斜視図、図９は同じく平面図、図１０は同じく底面図、図１１は第三実施例にかかる照明器具の斜視図、図１２は同じく平面図、図１３は同じく底面図、図１４は３枚のパネルが連結された照明器具の斜視図、図１５はその他の例にかかる照明器具の斜視図である。
【００２０】
先ず、第一実施例の照明器具１０１の全体構成について説明する。
図１から図４に示すように、照明器具１０１は、例えば、複数（本実施例では４つ）の灯具１０６・１０６・・・を備え、天井１０３等からつり下げられて使用される天井取付照明器具（シャンデリア、ペンダント等）である。そして、照明器具１０１は、ランプ１０４が差し込まれるソケット１０５を備える灯具１０６が、板状部材であるパネル１０７に取り付けられる。パネル１０７は、複数本（本実施例では４本の）のワイヤー１０２・１０２・・・を介して、器具本体１０９からつり下げられる。
【００２１】
具体的には、器具本体１０９内には、図示しない接続器具、点灯装置等が配設される。器具本体１０９は、この接続器具を介して、天井１０３に埋め込まれた図示しない配線器具に取り付けられる。この点灯装置は、コード１０９ａを介して、ソケット１０２に接続される。器具本体１０９からは、４本のワイヤー１０２・１０２・・・が延出され（図３参照）、これらのワイヤー１０２・１０２・・・は、ワイヤー接続具１０２ａ・１０２ａ・・・を介して、パネル１０７の四隅（４箇所）に接続される。
【００２２】
次に、パネル１０７の構成について説明する。
パネル１０７は、平らに形成された透光性を有する合成樹脂（本実施例ではアクリル樹脂）製であり、例えば、赤色、青色、黄色等とされ、本実施例では、青色とされる。図３及び図４に示すように、パネル１０７は、平面視略正方形に形成され、外周の各辺がパネル１０７の中心部に向かって緩やかな弧を描くように形成される。また、パネル１０７は、平面視において板面上に所定の模様を形成する取付溝１０８が開口される。取付溝１０８は、例えば、レーザー加工等により、パネル１０７が切り抜かれて、任意のデザイン性を有する模様とされる。取付溝１０８の開口幅は、ソケット１０５の径より若干大きく形成される（図５参照）。
【００２３】
次に、灯具１０６の構成について説明する。
図５に示すように、灯具１０６は、取付溝１０８内に配設され、取付溝１０８の端面に沿って摺動可能なソケット１０５と、パネル１０７の一方側（下方側）に配設されるランプ１０４とを備え、取付溝１０８に沿って移動可能とされる。
【００２４】
具体的には、前述のように、取付溝１０８の開口幅は、ソケット１０５の径より若干大きく形成され、この取付溝１０８内にソケット１０５が配設されて、取付溝１０８の端面に沿って摺動可能とされる。ソケット１０５は、ランプ１０４の差し込み口がパネル１０７の下方側に配設され、ソケット１０５（差し込み口）にランプ１０４が下方から差し込まれて、ランプ１０４がパネル１０７の下方側に配設される。
【００２５】
次に、第一及び第二取付具１１０、１１１の構成について説明する。
図５に示すように、ソケット１０５は、パネル１０７の一側面（上面）に係止される第一の取付手段である第一取付具１１０と、パネル１０７の他側面（下面）に係止される第二の取付手段である第二取付具１１１とを備え、第一取付具１１０と第二取付具１１１とにより、パネル１０７を挟持可能とされる。
【００２６】
具体的には、第一取付具１１０は、下面が開放された中空の略円錐台状の部材である。
第一取付具１１０は、下端の径が、上端の径よりも大きく形成され、この下端の径は、前記取付溝１０８の開口幅よりも大きく形成される。そして、第一取付具１１０は、パネル１０７の上方側に配設されるソケット１０５の上部に被せて取り付けられ、第一取付具１１０の下端がパネル１０７の上面に係止される。第一取付具１１０の上面には、前記コード１０９ａが挿通される通し孔が開口される。
【００２７】
第二取付具１１１は、上面及び下面が開放された中空の略円錐台状の部材である。第二取付具１１１は、上端の径が、下端の径よりも大きく形成され、この上端の径は、前記取付溝１０８の開口幅よりも大きく形成される。そして、第二取付具１１１の内空面には、ネジ山（雌ネジ）が形成され、一方、パネル１０７の下方側に配設されるソケット１０５の外周には、ネジ山（雄ネジ）が形成される。すなわち、第二取付具１１１は、ソケット１０５の外周に螺合され、第二取付具１１１の上端がパネル１０７の下面に係止される。
【００２８】
そして、次のようにして、灯具１０６が取付溝１０８に固定されるとともに、取付溝１０８に沿って移動可能とされる。
図５に示すように、第一取付具１１０の下端がパネル１０７の上面に係止され、第二取付具１１１が締め付けられて、第二取付具１１１の上端がパネル１０７の下面に係止される。こうして、第一取付具１１０と第二取付具１１１とにより、パネル１０７が挟持されて、灯具１０６が取付溝１０８に固定される。
一方、第二取付具１１１が緩められて（図５に示す二点鎖線位置）、第二取付具１１１の係止が解除される。こうして、第一取付具１１０と第二取付具１１１とによるパネル１０７の挟持が解除されて、灯具１０６が取付溝１０８に沿って移動可能とされる。
【００２９】
また、図６及び図７に示すように、パネル１０７は、連結具１１２と留め具１１３とにより、水平方向に複数連結可能とされる。
具体的には、図３及び図４に示すように、パネル１０７の四隅（４箇所）には、平面視略正方形の角孔１０７ａ・１０７ａ・・・が穿孔される。図７に示すように、各角孔１０７ａには、パネル１０７の下方側から、連結具１１２の突起部１１２ａが嵌合され、上方側から留め具１１３の突起部１１３ａが嵌合される。連結具１１２の突起部１１２ａ及び留め具１１３には、それぞれネジ孔１１２ｂ、ネジ孔１１３ｂが穿孔される。突起部１１３ａの上方から、ネジがネジ孔１１３ｂ及びネジ孔１１２ｂに螺入されて、連結具１１２と留め具１１３とが連結される。
【００３０】
そして、次のようにして、複数（本実施例では２枚）のパネル１０７・１０７が連結される。
図６及び図７に示すように、２枚のパネル１０７・１０７が連結される場合、左方の照明器具１０１におけるパネル１０７の右辺側の角孔１０７ａ・１０７ａと、右方の照明器具１０１におけるパネル１０７の左辺側の角孔１０７ａ・１０７ａとが、対向し、かつ側面視略同一高さで同一面を形成するように配設される。
そして、図５に示す手前側の互いの角孔１０７ａ・１０７ａ同士、及び奥側の互いの角孔１０７ａ・１０７ａ同士が、前述のようにして、連結具１１２と留め具１１３とにより連結されて、２枚のパネル１０７・１０７が連結される。
【００３１】
以上のように、第一実施例の照明器具１０１は、ランプ１０４が差し込まれるソケット１０５を備える灯具１０６が、パネル１０７に取り付けられる照明器具１０１であって、パネル１０７は、ソケット１０５の径より若干大きな開口幅を有し、かつ板面上に所定の模様を形成する取付溝１０８が開口され、灯具１０６は、取付溝１０８内に配設され、取付溝１０８の端面に沿って摺動可能なソケット１０５と、パネル１０７の一方側（下方側）に配設されるランプ１０４とを備え、取付溝１０８に沿って移動可能とされるものである。
このような構成により、灯具１０６を取付溝１０８に沿って移動させるだけで、部屋の種類や広さ、使用する場面等に応じて、ランプ１０４の位置を変更して、光を変化させることができ、光のバリエーションに富んだ照明器具１０１を提供できる。
また、取付溝１０８を任意のデザイン性を有する模様に形成することにより、全体として優れた美観を有するデザイン性に富んだ照明器具１０１を提供できる。
【００３２】
そして、ソケット１０５は、パネル１０７の一側面（上面）に係止される第一取付具１１０と、パネル１０７の他側面（下面）に係止される第二取付具１１１とを備え、第一取付具１１０と第二取付具１１１とにより、パネル１０７を挟持可能とされるものである。
このような構成により、第一取付具１１０と第二取付具１１１とにより、パネル１０７を挟持するソケット１０５を介して、灯具１０６をパネル１０７に固定できる。すなわち、簡単な構成で灯具１０６をパネル１０７に固定でき、灯具１０６の形状をシンプルにできる。
【００３３】
また、第二取付具１１１は、ソケット１０５の外周に螺合されるものである。
このような構成により、第二取付具１１１を締緩させるだけで、灯具１０６の固定・移動を切り替えられる。すなわち、工具等を必要とせず、灯具１０６の取り付け位置が容易に変更できる。
【００３４】
そして、パネル１０７は、透光性を有する部材であるものである。
このような構成により、ランプ１０４の光が透光性を有するパネル１０７に入射されることにより、パネル１０７の青色が天井や壁等の周囲の面に映り込むため、間接照明として空間の雰囲気を演出することができる。
【００３５】
また、灯具１０６を複数（本実施例では４つ）備えるものである。
このような構成により、複数（本実施例では４つ）の灯具１０６がパネル１０７に取り付けられることにより、広い部屋でも全体照明として十分な照度が確保できるとともに、光のバリエーションが増え、装飾性及び実用性の高い照明器具１０１を提供できる。例えば、部屋の広さや明るさ等に応じて灯具１０６の数を変更できる。
【００３６】
そして、パネル１０７は、水平方向に複数（本実施例では２枚）連結可能とされるものである。
このような構成により、灯具１０６が取り付けられるパネル１０７が複数（本実施例では２枚）連結されることにより、広い部屋でも全体照明として十分な照度が確保できるとともに、光のバリエーションが増え、装飾性及び実用性の高い照明器具１０１を提供できる。例えば、部屋の広さや明るさ等に応じてパネル１０７の枚数を変更できる。
【００３７】
以下、別実施例の照明器具について説明する。なお、図１から図７に示した第一実施例と同一符号の部材は、各実施例において同一の構成であるため、詳細な説明は省略する。
【００３８】
図８から図１０に示す第二実施例の照明器具２０１、及び図１１から図１３に示す第三実施例の照明器具３０１おいては、それぞれ照明器具２０１のパネル２０７、及び照明器具３０１のパネル３０７が、第一実施例の照明器具１０１のパネル１０７と異なる。
【００３９】
具体的には、第二実施例の照明器具２０１のパネル２０７は、第一実施例と同様に平らに形成された透光性を有するアクリル樹脂製であるが、第一実施例とは異なる黄色とされる。また、パネル２０７は、平面視において板面上に第一実施例とは異なる所定の模様（図９及び図１０参照）を形成する取付溝２０８が開口される。取付溝２０８は、第一実施例と同様に、例えば、レーザー加工等により、パネル２０７が切り抜かれて、任意のデザイン性を有する模様とされる。取付溝２０８の開口幅は、第一実施例と同様に、ソケット１０５の径より若干大きく形成される。
【００４０】
次に、第三実施例の照明器具３０１のパネル３０７は、第一及び第二実施例と同様に平らに形成された透光性を有するアクリル樹脂製であるが、第一及び第二実施例とは異なる赤色とされる。また、パネル３０７は、平面視において板面上に第一及び第二実施例とは異なる所定の模様（図１２及び図１３参照）を形成する取付溝３０８が開口される。取付溝３０８は、第一及び第二実施例と同様に、例えば、レーザー加工等により、パネル３０７が切り抜かれて、任意のデザイン性を有する模様とされる。取付溝３０８の開口幅は、第一及び第二実施例と同様に、ソケット１０５の径より若干大きく形成される。
【００４１】
このような構成により、第一及び第二実施例の照明器具２０１、３０１は、取付溝２０８、３０８を任意のデザイン性を有する模様に形成することにより、全体として優れた美観を有するデザイン性に富んだ照明器具２０１、３０１を提供できる。
また、ランプ１０４の光が、透光性を有するパネル２０７、３０７に入射されることにより、パネル２０７の黄色またはパネル３０７の赤色が、天井や壁等の周囲の面に映り込み、間接照明として空間の雰囲気を演出することができる。
【００４２】
さらに、図１４に示すように、第一実施例から第三実施例までの照明器具１０１、２０１、３０１は、パネル１０７、２０７、３０７が、連結具１１２と留め具１１３とにより、前述のようにして水平方向に連結される。
このような構成により、灯具１０６が取り付けられるパネル１０７、２０７、３０７が同一面状に連結されることにより、全体照明として十分な照度が確保できるとともに、光のバリエーションが増え、装飾性及び実用性の高い照明器具１０１、２０１、３０１を提供できる。
【００４３】
なお、実施の形態は上記に限定されるものではなく、例えば次のように変更してもよい。
【００４４】
灯具１０６の数は、４つとされているが、４つより多くても、少なくてもよい。
【００４５】
また、ワイヤー１０２・１０２・・・の本数は、４本とされているが、４本より多くても、少なくてもよい。
【００４６】
また、ワイヤー１０２・１０２・・・は、チェーンや紐状部材でもよい。紐状部材の場合、例えば、ナイロン製等の透明な紐状部材でもよい。この場合、透明な紐状部材が目立たないため、パネル１０７（２０７、３０７）（ランプ１０４の光）が空間に浮いたように見える効果が期待できる。
【００４７】
また、ワイヤー１０２・１０２・・・は、剛性の高いパイプ状部材、棒状部材、板状部材等でもよい。この場合、パイプ状部材、棒状部材、板状部材等を介して、パネル１０７（２０７、３０７）が天井等からつり下げられて使用される。また、剛性を高くすることで、パイプ状部材、棒状部材、板状部材等を介して、パネル１０７（２０７、３０７）が壁面に取り付けられ、壁取付照明器具（ブラケット）として使用できる。
【００４８】
また、図１５に示すように、パネル１０７（２０７、３０７）の中央部に開口部が開口され、この開口部に灯具４０６を備える器具本体が嵌め込まれて、壁面に取り付けられる壁取付照明器具（ブラケット）とされる照明器具４０１が提供される。
【００４９】
また、パネル１０７、２０７、３０７は、透光性を有するアクリル樹脂製とされているが、ガラス製、プラスチック製等でもよい。なお、板状部材（パネル）が透光性を有しない材質、例えば、アルミニウム製等とされる場合、不透過の板状部材（パネル）により光が下方へ照射されて、直接照明または半直接照明としての効果がより期待できる。
【００５０】
また、パネル１０７、２０７、３０７は、それぞれ青色、黄色、赤色とされているが、各パネル１０７、２０７、３０７とこれらの色との組み合わせは任意であるとともに、青、黄、赤以外の色との組み合わせも可能である。例えば、略無色の透明な板状部材とされる場合、板状部材が目立たないため、ランプ１０４の光が空間に浮いたように見える効果が期待できる。
【００５１】
また、パネル１０７、２０７、３０７の形状は、平面視略正方形とされているが、その他の多角形あるいは円形等、形状は任意である。
【００５２】
また、パネル１０７、２０７、３０７は、平らに形成されているが、曲面を有してもよい。
【００５３】
また、パネル１０７、２０７、３０７の板面上に形成される取付溝１０８、２０８、３０８の模様は、これらに限定されず、任意の模様が形成されてよい。
【００５４】
また、図６は、２枚の同じパネル１０７・１０７の組み合わせ、図１４は、３枚の異なるパネル１０７、２０７、３０７の組み合わせであるが、連結される板状部材（パネル）の数、及び板状部材（パネル）の組み合わせは任意である。
【００５５】
また、第二取付具１１１がソケット１０５の外周に螺合されているが、第一取付具１１０が螺合されてもよい。また、第一及び第二取付具１１０、１１１の両方が螺合されてもよい。
【図面の簡単な説明】
【００５６】
【図１】第一実施例にかかる照明器具の斜視図。
【図２】同じく側面図。
【図３】同じく平面図。
【図４】同じく底面図。
【図５】第一及び第二取付具の側面断面図。
【図６】２枚のパネルが連結された照明器具の斜視図。
【図７】（ａ）連結具及び留め具の側面図（ｂ）同じく正面図（ｃ）同じく平面図（ｄ）同じく底面図。
【図８】第二実施例にかかる照明器具の斜視図。
【図９】同じく平面図。
【図１０】同じく底面図。
【図１１】第三実施例にかかる照明器具の斜視図。
【図１２】同じく平面図。
【図１３】同じく底面図。
【図１４】３枚のパネルが連結された照明器具の斜視図。
【図１５】その他の例にかかる照明器具の斜視図。
【符号の説明】
【００５７】
１０１    照明器具
１０４    ランプ
１０５    ソケット
１０６    灯具
１０７    パネル（板状部材）
１０８    取付溝
１１０    第一取付具（第一の取付手段）
１１１    第二取付具（第二の取付手段）
２０１    照明器具
２０７    パネル（板状部材）
２０８    取付溝
３０１    照明器具
３０７    パネル（板状部材）
３０８    取付溝
【図１】
2008198527.tif 000003
【図２】
2008198527.tif 000004
【図３】
2008198527.tif 000005
【図４】
2008198527.tif 000006
【図５】
2008198527.tif 000007
【図６】
2008198527.tif 000008
【図７】
2008198527.tif 000009
【図８】
2008198527.tif 000010
【図９】
2008198527.tif 000011
【図１０】
2008198527.tif 000012
【図１１】
2008198527.tif 000013
【図１２】
2008198527.tif 000014
【図１３】
2008198527.tif 000015
【図１４】
2008198527.tif 000016
【図１５】
2008198527.tif 000017